(57)【要約】【課題】複写物を形成する指示があった場合の識別コードの復号化の制限について、ユーザーの要求に柔軟に対応することができる画像読取装置および画像読取方法を提供する。【解決手段】画像読取装置１００は、読取ユニット３と、抽出部８１１と、制限化部８１３とを備える。読取ユニット３は、識別コードを含む原稿を読み取り、画像データを生成する。抽出部８１１は、画像データに基づいて、識別コードを示す画像データを抽出する。制限化部８１３は、抽出された画像データに対して制限化処理を施す。【選択図】図２
2020167458.tif 000002
【特許請求の範囲】
【請求項１】
識別コードを含む原稿を読み取り、画像データを生成する読取部と、
前記画像データに基づいて、前記識別コードを示す画像データを抽出する抽出部と、
抽出された前記画像データに対して制限化処理を施す制限化部と
を備える、画像読取装置。
【請求項２】
前記原稿は、複数の前記識別コードを含み、
抽出された前記画像データを復号化する復号化部と、
復号化された前記識別コードに関する関連情報を報知する報知部と、
報知された前記関連情報に基づいて、前記識別コードを選択する選択部と、
を更に備え、
前記制限化部は、選択された前記識別コードに対して前記制限化処理を施す、請求項１に記載の画像読取装置。
【請求項３】
前記報知部は、前記識別コードの近傍に前記関連情報を表示する、請求項２に記載の画像読取装置。
【請求項４】
前記報知部は、前記識別コードに替えて前記関連情報を表示し、
前記選択部は、表示された前記関連情報に基づいて、前記識別コードを選択する、請求項２に記載の画像読取装置。
【請求項５】
前記識別コードは、位置検出パターンを含む二次元コードである、請求項１〜４の何れか１項に記載の画像読取装置。
【請求項６】
前記制限化部は、前記制限化処理として、画像形成後の画像が、前記位置検出パターンが塗り潰された画像になるように画像処理を施す、請求項５に記載の画像読取装置。
【請求項７】
前記制限化部は、前記制限化処理として、画像形成後の画像が、相互に異なる識別コードが重なった画像になるように画像処理を施す、請求項５に記載の画像読取装置。
【請求項８】
前記制限化部は、前記制限化処理として、画像形成後の画像が、前記識別コードを示す画像について所定の割合以上が塗り潰された画像になるように画像処理を施す、請求項５に記載の画像読取装置。
【請求項９】
識別コードを含む原稿を読み取り、画像データを生成する読取ステップと、
前記画像データに基づいて、前記識別コードを示す画像データを抽出する抽出ステップと、
抽出された前記画像データに対して制限化処理を施す制限化ステップと
を包含する、画像読取方法。
【発明の詳細な説明】
【技術分野】
【０００１】
本発明は、画像読取装置および画像読取方法に関する。
【背景技術】
【０００２】
従来、バーコード又はＱＲコード（登録商標）等の識別コードを記録媒体に印刷し、販売促進又は物流管理等に利用している。
【０００３】
ところで、不完全な識別コードが記録媒体に印刷された場合には、この不完全な識別コードを塗り潰すことで、不完全な識別コードが記載された記録媒体か否かを簡便に見分けることを可能にしたプリンターが提案されている（例えば、特許文献１参照）。
【０００４】
特許文献１の技術では、基準識別コードと、記録媒体から読み取った識別コードとを照合することによって、不完全な識別コードか否かを判定し、不完全な識別コードと判定された場合は、その記録媒体の識別コードを塗り潰している。
【先行技術文献】
【特許文献】
【０００５】
【特許文献１】特開２００８−１４９６５０号公報
【発明の概要】
【発明が解決しようとする課題】
【０００６】
しかしながら、販売促進用のチラシ等の原稿においては、情報保護の観点等から、オリジナルの記録媒体の識別コードではなく、複写物の識別コードを塗り潰すか否か（すなわち、複写物を形成する指示があった場合の識別コードの復号化を制限させるか否か）について、ユーザーが任意に決定したい場合がある。特許文献１の技術では、複写物の識別コードの復号化の制限について、ユーザーの要求に柔軟に対応することができないため、改善の余地がある。
【０００７】
本発明は、上記課題に鑑みてなされたものであり、その目的は、複写物を形成する指示があった場合の識別コードの復号化の制限について、ユーザーの要求に柔軟に対応することができる画像読取装置および画像読取方法を提供することにある。
【課題を解決するための手段】
【０００８】
本発明に係る画像読取装置は、読取部と、抽出部と、制限化部とを備える。前記読取部は、識別コードを含む原稿を読み取り、画像データを生成する。前記抽出部は、前記画像データに基づいて、前記識別コードを示す画像データを抽出する。前記制限化部は、抽出された前記画像データに対して制限化処理を施す。
【０００９】
本発明に係る画像読取方法は、読取ステップと、抽出ステップと、制限化ステップとを包含する。前記読取ステップでは、識別コードを含む原稿を読み取り、画像データを生成する。前記抽出ステップでは、前記画像データに基づいて、前記識別コードを示す画像データを抽出する。前記制限化ステップでは、抽出された前記画像データに対して制限化処理を施す。
【発明の効果】
【００１０】
本発明によれば、ユーザーの要求に柔軟に対応しつつ、複写物を形成する指示があった場合に識別コードの復号化を制限することが可能になる。
【図面の簡単な説明】
【００１１】
【図１】本発明の実施形態に係る画像読取装置の構成を示す概略図である。
【図２】画像読取装置の構成を示すブロック図である。
【図３】識別コードを含む原稿の一例を示す図である。
【図４】（ａ）は、コード選択画面の第１例を示す図である。（ｂ）は、コード選択画面の第２例を示す図である。
【図５】（ａ）は、制限化処理の第１例を示す図である。（ｂ）は、制限化処理の第２例を示す図である。（ｃ）は、制限化処理の第３例を示す図である。
【図６】画像読取装置の識別コード制御処理の一例を示すフローチャートである。
【発明を実施するための形態】
【００１２】
以下、図面を参照して、本発明に係る画像読取装置の実施形態について説明する。なお、図中、同一又は相当部分については同一の参照符号を付して説明を繰り返さない。
【００１３】
図１を参照して、本実施形態に係る画像読取装置１００の構成を説明する。図１は、画像読取装置１００の構成を示す概略図である。本実施形態において、画像読取装置１００は、モノクロ方式の複合機である。
【００１４】
画像読取装置１００は、筐体１、入出力部２、読取ユニット３、供給ユニット４、補給部５、画像形成ユニット６、通信部７、装置制御部８および搬送ユニットＬを備える。読取ユニット３、供給ユニット４、補給部５、画像形成ユニット６、および搬送ユニットＬは、筐体１の内部に収容される。
【００１５】
入出力部２は、各種の情報をユーザーに報知する。具体的には、入出力部２は、復号化された識別コードに関する関連情報を報知する。更に、入出力部２は、ユーザーから画像読取装置１００の制御に関する指示を受け付ける。入出力部２は、表示部２１と、受付部２２と、音声出力部２３とを有する。
【００１６】
表示部２１は、各種の情報を画面に表示する。表示部２１は、ディスプレイおよびタッチセンサーを含む。具体的には、表示部２１は、復号化された識別コードに関する関連情報を画面に表示する。なお、表示部２１は、「報知部」の一例である。
【００１７】
本実施形態では、識別コードは、位置検出パターンを含む二次元コードである。識別コードは、例えばＱＲコード（登録商標）である。なお、識別コードは、二次元コードに限定されない。識別コードは、例えば、一次元コードのバーコードでもよい。以下、識別コードを単に「コード」とも称する。
【００１８】
更に、表示部２１は、装置制御部８で復号化された識別コードに関する関連情報を画面に表示する。なお、表示部２１は、識別コードの近傍に関連情報を表示したり、識別コードに替えて関連情報を表示したりしてもよい。ここで、「識別コードに関する関連情報」とは、識別コードを復号化した場合の内容そのもの、又は識別コードの属性を含む。また、「識別コードの属性」とは、識別コードを復号化した場合の内容のジャンルを含む。識別コードの属性は、例えば、「住所」、「氏名」、「説明文」、「ＵＲＬ」、「電話番号」等である。
【００１９】
ディスプレイは、各種画面を表示する。各種画面は、待ち受け画面を含む。待ち受け画面は、例えば、各種処理の実行を指示するためのメニューボタンを含む。ディスプレイは、例えば、液晶ディスプレイ又は有機ＥＬディスプレイ（Ｏｒｇａｎｉｃ  Ｅｌｅｃｔｒｏ  Ｌｕｍｉｎｅｓｃｅｎｃｅ  Ｄｉｓｐｌａｙ）である。
【００２０】
タッチセンサーは、被検知体によるタッチを検知する。タッチセンサーは、被検知体によるタッチを検知した位置を示す検知信号を出力する。被検知体は、例えば、ユーザーの手指である。タッチセンサーは、例えば、抵抗膜方式のタッチセンサーである。
【００２１】
受付部２２は、例えば、テンキー、スタートキー、およびキャンセルキーを含む。本実施形態において、受付部２２は、「コピージョブ」、「スキャナージョブ」、又は「ＦＡＸ／メールジョブ」の実行指示の入力を受け付ける。以下、コピージョブの実行指示の入力を「コピー実行要求」、スキャナージョブの実行指示の入力を「スキャナー実行要求」、ＦＡＸ／メールジョブの実行指示の入力を「ＦＡＸ／メールジョブ実行要求」と記載する。ここで、「ＦＡＸ／メールジョブ」とは、ＦＡＸジョブおよびメールジョブの少なくとも一方のジョブをいう。ＦＡＸジョブは、所定の宛先に画像データを送信する。メールジョブは、所定のアドレス先に画像データを添付したメールを送信する。
【００２２】
受付部２２は、表示部２１に報知された識別コードについて、制限化処理を施す識別コードを選択する。なお、受付部２２は、「選択部」の一例である。
【００２３】
更に、受付部２２は、表示部２１に報知された関連情報に基づいて、識別コードを選択する。本実施形態では、受付部２２は、表示部２１に表示された関連情報を視認したユーザーから、識別コードの選択を受け付ける。
【００２４】
音声出力部２３は、復号化された識別コードに関する関連情報を報知する。具体的には、音声出力部２３は、装置制御部８の指示に応じて、音声を出力する。本実施形態では、音声出力部２３は、装置制御部８の指示に応じて、復号化された識別コードに関する関連情報を読み上げる。なお、音声出力部２３は、「報知部」の一例である。
【００２５】
読取ユニット３は、原稿の画像を読み取る。具体的には、読取ユニット３は、識別コードを含む原稿を読み取り、画像データを生成する。例えば、入出力部２がコピー実行要求を受け付けると、原稿の画像を読み取り、原稿を示す画像データを生成する。以下、原稿の画像を「原稿画像」と記載する。本実施形態において、原稿画像は、二次元コードを示す二次元コード画像、又はバーコードを示すバーコード画像を含む。本実施形態において、原稿は、少なくとも１つの識別コードを含む。なお、読取ユニット３は、「読取部」の一例である。
【００２６】
読取ユニット３は、コンタクトガラス３１および読取機構３２を含む。コンタクトガラス３１は、読取ユニット３の上部に配置される。コンタクトガラス３１には、原稿が載置される。読取機構３２は、コンタクトガラス３１に載置された原稿に光を照射し、原稿から反射する光を読み取って、原稿を示す信号を出力する。更に、読取機構３２は、原稿を示す信号に基づいて画像データを生成する。読取ユニット３は、例えば、スキャナーである。
【００２７】
供給ユニット４は、複数のシートＳを収容し、シートＳを１枚ずつ搬送ユニットＬに供給する。
【００２８】
搬送ユニットＬは、供給されたシートＳを排出部Ｌ１まで搬送する。排出部Ｌ１は、トナー像が定着したシートＳを、シート排出口を介して筐体１の内部から排出トレイへ排出する。
【００２９】
補給部５は、画像形成ユニット６へトナーを補給する。
【００３０】
画像形成ユニット６は、補給部５から供給されるトナーを使用して画像（トナー像）を形成する。本実施形態において、画像形成ユニット６は、露光装置、帯電装置、感光体ドラム、現像装置、クリーニング装置、転写装置、および定着装置を備え、電子写真方式によって画像を形成する。
【００３１】
通信部７は、同じ通信方式（プロトコル）を利用する電子機器との間で通信が可能である。本実施形態において、通信部７は、インターネットおよびＬＡＮ（Ｌｏｃａｌ  Ａｒｅａ  Ｎｅｔｗｏｒｋ）などのネットワーク網を介して、電子機器と通信する。通信部７は、装置制御部８の指示に応じて、ユーザーから指定された送信先に画像情報を送信する。通信部７は、例えば、ＬＡＮボードのような通信モジュールである。
【００３２】
装置制御部８は、画像読取装置１００の各構成部分の動作を制御する。装置制御部８は、例えば、プロセッサーおよびメモリーを含む。プロセッサーは、例えば、ＣＰＵ（Ｃｅｎｔｒａｌ  Ｐｒｏｃｅｓｓｉｎｇ  Ｕｎｉｔ）を含む。メモリーは、データおよびコンピュータープログラムを記憶する。メモリーは、例えば、半導体メモリーを含み、ＳＳＤ（Ｓｏｌｉｄ  Ｓｔａｔｅ  Ｄｒｉｖｅ）を更に含んでもよい。
【００３３】
次に、図１および図２を参照して、画像読取装置１００の構成のうち、特に装置制御部８の構成について、詳細に説明する。図２は、画像読取装置１００の構成を示すブロック図である。
【００３４】
図１を参照して説明したように、画像読取装置１００は、入出力部２と、読取ユニット３と、供給ユニット４と、搬送ユニットＬと、画像形成ユニット６と、通信部７と、装置制御部８とを備える。図２は、装置制御部８の詳細な構成を示す。
【００３５】
図２に示すように、装置制御部８は、処理部８１と、記憶部８２とを備える。処理部８１は、例えば、プロセッサーである。プロセッサーは、例えばＣＰＵ（Ｃｅｎｔｒａｌ  Ｐｒｏｃｅｓｓｉｎｇ  Ｕｎｉｔ）である。処理部８１は、記憶部８２に記憶された制御プログラムを実行することによって、画像読取装置１００の各構成部分の動作を制御する。
【００３６】
記憶部８２は、各種のデータおよび制御プログラムを記憶する。記憶部８２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、および／又はソリッドステートドライブ（Ｓｏｌｉｄ  Ｓｔａｔｅ  Ｄｒｉｖｅ：ＳＳＤ）によって構成される。記憶部８２は、外部メモリーを含んでもよい。外部メモリーは、リムーバブルメディアである。記憶部８２は、外部メモリーとして、例えば、ＵＳＢ（Ｕｎｉｖｅｒｓａｌ  Ｓｅｒｉａｌ  Ｂｕｓ）メモリー、および／又はＳＤ（Ｓｅｃｕｒｅ  Ｄｉｇｉｔａｌ）カードを含んでもよい。
【００３７】
更に、記憶部８２は、処理部８１で復号化された識別コードの内容を識別コードに対応付けて記憶する。
【００３８】
処理部８１は、抽出部８１１と、復号化部８１２と、制限化部８１３と、制御部８１４とを含む。本実施形態において、処理部８１が記憶部８２に格納された制御プログラムを実行することによって、制御プログラムが、抽出部８１１と、復号化部８１２と、制限化部８１３と、制御部８１４との機能を実現する。
【００３９】
抽出部８１１は、識別コードを含む原稿を示す画像データに基づいて、識別コードを示す画像データを抽出する。具体的には、抽出部８１１は、識別コードが有する位置検出パターンに基づいて識別コードの位置を認識し、識別コードを示す画像データを抽出する。識別コードを示す画像データの検出は、既存の技術を利用することができる。
【００４０】
復号化部８１２は、抽出部８１１で抽出された画像データを復号化する。復号化部８１２は、既存の技術を利用して、抽出された画像データを復号化する。
【００４１】
制限化部８１３は、抽出部８１１で抽出された画像データに対して制限化処理を施す。具体的には、制限化部８１３は、抽出部８１１で抽出された画像データのうち、ユーザーによって選択された識別コードを示す画像データに対して、制限化処理を施す。例えば、制限化部８１３は、形成後の画像から識別コードを読み取ることができないように制限化処理を施す。制限化部８１３は、制限化処理として、例えば、位置検出パターンが塗り潰された画像が形成されるように画像処理を施してもよい。更に、制限化部８１３は、相互に異なる識別コードを重ね合わせた画像が形成されるように画像処理を施してもよい。
【００４２】
更に、制限化部８１３は、制限化処理として、識別コードを示す画像について、所定の割合以上を塗り潰してもよい。制限化部８１３は、例えば、識別コードを示す画像の６０％以上の画素を黒く塗り潰してもよい。例えば、赤、緑、および青の色成分を示すＲＧＢ値によって画素の色を表わす場合の黒色のＲＧＢ値は、ＲＧＢ値（０，０，０）である。
【００４３】
制御部８１４は、画像読取装置１００の各構成部分の動作を制御する。具体的には、制御部８１４は、通信部７と記憶部８２とを制御する。本実施形態では、制御部８１４は、ユーザーの指示に基づいて、制限化処理が施された識別コードを含む画像データを他の電子機器に送信する。更に、制御部８１４は、ユーザーの指示に基づいて、制限化処理が施された識別コードを含む画像データを記憶部８２に格納する。
【００４４】
次に、図３を参照して、識別コードを含む原稿１０について説明する。図３は、識別コードを含む原稿１０の一例を示す図である。図３に示すように、原稿１０は、４個の識別コード１１〜識別コード１４を含む。本実施形態では、識別コード１１は、「住所」をコード化したものである。識別コード１２は、「プレゼント告知」に関する内容を識別コード化したものである。識別コード１３は、「ＵＲＬ」を識別コード化したものである。識別コード１４は、「電話番号」を識別コード化したものである。
【００４５】
次に、図４（ａ）と図４（ｂ）とを参照して、識別コードの選択画面について説明する。図４（ａ）は、識別コードの選択画面の第１例を示す図である。図４（ａ）は、図３の原稿１０から読み取った４つの識別コード１１〜識別コード１４を含む。表示部２１は、識別コード１１〜識別コード１４を表示する。更に、表示部２１は、識別コード１１〜識別コード１４のそれぞれの右隣に、対応する関連情報１１Ａ〜１４Ａを表示する。具体的には、識別コード１１の右隣には、識別コード１１の関連情報１１Ａとして、識別コード１１を復号化した結果の「住所」が表示されている。同様に、識別コード１２の右隣には、識別コード１２の関連情報１２Ａとして、識別コード１２を復号化した結果の「プレゼントの告知」が表示されている。識別コード１３の右隣には、識別コード１３の関連情報１３Ａとして、識別コード１３を復号化した結果の「ＵＲＬ」が表示されている。識別コード１４の右隣には、識別コード１４の関連情報１４Ａとして、識別コード１４を復号化した結果の「電話番号」が表示されている。
【００４６】
図４（ｂ）は、識別コードの選択画面の第２例を示す図である。図４（ｂ）に示すように、表示部２１は、識別コード１１〜識別コード１４に替えて、それぞれの識別コードに対応する関連情報を示す。具体的には、図４（ｂ）で示す識別コード１１の位置には、識別コード１１に対応する関連情報１１Ｂとして、「住所」が表示されている。同様に、識別コード１２の位置には「プレゼントの告知」が、識別コード１３の位置には「ＵＲＬ」が、識別コード１４の位置には「電話番号」が、それぞれ表示されている。ユーザーは、表示部２１に表示された関連情報の選択を介して識別コードを選択する。ユーザーによって識別コードが選択されると、制限化部８１３は、選択された識別コードに対して制限化処理を施す。
【００４７】
次に、図５（ａ）〜図５（ｃ）を参照して、識別コードに対する制限化処理について説明する。図５（ａ）は、識別コードに対する制限化処理の第１例（第１制限化処理）を示す図である。図５（ａ）に示すように、表示部２１には、識別コード１１〜１４が表示されている。制限化部８１３は、原稿１０の複写物を形成する指示があった場合に、制限化画像１１Ｃによって、識別コード１１の１箇所のファインダパターンが塗り潰された画像になるように画像処理を施す。なお、識別コードがバーコードの場合、第１制限化処理は適用されない。
【００４８】
図５（ｂ）は、識別コードに対する制限化処理の第２例（第２制限化処理）を示す図である。図５（ｂ）に示すように、表示部２１には、識別コード１１〜１４が表示されている。制限化部８１３は、原稿１０の複写物を形成する指示があった場合に、識別コード１１と互いに異なる識別コードを示す制限化画像１１Ｄと識別コード１１とが重なった画像になるように画像処理を施す。なお、識別コードがバーコードの場合、制限化部８１３は、第２制限化処理として、互いに異なるバーコードが重なった画像になるように画像処理を施す。
【００４９】
図５（ｃ）は、識別コードに対する制限化処理の第３例（第３制限化処理）を示す図である。図５（ｃ）に示すように、表示部２１には、識別コード１１〜１４が表示されている。制限化部８１３は、原稿１０の複写物を形成する指示があった場合に、制限化画像１１Ｅによって、識別コード１１の６０％以上が塗り潰された画像になるように画像処理を施す。なお、識別コードがバーコードの場合、制限化部８１３は、第３制限化処理として、バーコードの所定の割合以上が塗り潰された画像となるように画像処理を施す。
【００５０】
次に、図１〜図６参照して、本実施形態の識別コード制御処理について説明する。図６は、画像読取装置１００の識別コード制御処理の一例を示すフローチャートである。ここで、「識別コード制御処理」とは、識別コードを含む原稿１０に対してコピージョブ、スキャナージョブ、又はＦＡＸ／メールジョブを実行した場合に、原稿１０の所定の識別コードに制限化処理を施すことをいう。識別コード制御処理は、ステップＳ２〜ステップＳ２０によって実行される。
【００５１】
ステップＳ２：読取ユニット３は、識別コードを含む原稿１０を読み取り、画像データを生成する。処理は、ステップＳ４に進む。
【００５２】
ステップＳ４：抽出部８１１は、原稿１０を示す画像データから識別コードを示す画像データを抽出する。処理は、ステップＳ６に進む。
【００５３】
ステップＳ６：復号化部８１２は、識別コードを示す画像データに基づいて、識別コードを復号化する。処理は、ステップＳ８に進む。
【００５４】
ステップＳ８：表示部２１は、図４（ａ）および図４（ｂ）を参照して説明したように、復号化された識別コードの関連情報を表示する。処理は、ステップＳ１０に進む。
【００５５】
ステップＳ１０：受付部２２は、ユーザーから制限化処理を施す識別コードの選択を受け付ける。処理は、ステップＳ１２に進む。
【００５６】
ステップＳ１２：制限化部８１３は、選択された識別コードに対して、図５（ａ）〜図５（ｃ）を参照して説明した、制限化処理を施す。処理は、ステップＳ１４に進む。
【００５７】
ステップＳ１４：処理部８１は、実行要求の内容を判定する。実行要求の内容が「スキャナー実行要求」と処理部８１が判定した場合（ステップＳ１４で「スキャナー」）、処理はステップＳ１６に進む。実行要求の内容が「コピー」と処理部８１が判定した場合（ステップＳ１４で「コピー」）、処理はステップＳ１８に進む。実行要求の内容が「ＦＡＸ／メール」と処理部８１が判定した場合（ステップＳ１４で「ＦＡＸ／メール」）、処理はステップＳ２０に進む。
【００５８】
ステップＳ１６：処理部８１は、制限化処理が施された識別コードを含む原稿の画像データを記憶部８２のフォルダーに格納する。識別コード制限化処理を終了する。
【００５９】
ステップＳ１８：処理部８１は、制限化処理が施された識別コードを含む原稿の画像データに基づいて、シートＳに画像を形成する。識別コード制限化処理を終了する。
【００６０】
ステップＳ２０：処理部８１は、制限化処理が施された識別コードを含む原稿の画像データを、所定の宛先に送信する。識別コード制限化処理を終了する。
【００６１】
以上、図１〜図６を参照して説明したように、画像読取装置１００によれば、識別コードを含む原稿を読み取り、識別コードを抽出し、選択された識別コードに対して制限化処理を施す。これによって、ユーザーは、ユーザーの要求に柔軟に対応しつつ、識別コードの復号化を制限することが可能になる。
【００６２】
上述のように、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６３】
（１）本発明の実施形態では、画像読取装置の一例としてモノクロ方式の複合機について説明したが、本発明の画像読取装置は、モノクロ方式の複合機に限定されない。例えば、本発明の画像読取装置は、カラーの複合機でもよい。
【００６４】
（２）本発明の実施形態では、識別コードの一例としてＱＲコード（登録商標）について説明したが、本発明の識別コードは、ＱＲコード（登録商標）に限定されない。例えば、データマトリックスコード、Ｍａｘｉコード、又はＡｚｔｅｃコード等の二次元コードでもよい。
【００６５】
（３）また、本発明は、本発明に係る画像読取装置の特徴的な構成手段をステップとする画像読取方法として実現したり、それらのステップを包含する制御プログラムとして実現したりすることもできる。また、そのプログラムは、ＣＤ−ＲＯＭ等の記録媒体や通信ネットワーク等の伝送媒体を介して流通させることもできる。
【産業上の利用可能性】
【００６６】
本発明は、画像読取装置の分野に利用可能である。
【符号の説明】
【００６７】
２      入出力部
２１    表示部（報知部）
２２    受付部（選択部）
２３    音声出力部（報知部）
３      読取ユニット（読取部）
６      画像形成ユニット
８      装置制御部
８１    処理部
８１１  抽出部
８１２  復号化部
８１３  制限化部
８１４  制御部
８２    記憶部
１０    原稿
１１，１２，１３，１４    識別コード
１１Ａ，１２Ａ，１３Ａ，１４Ａ    関連情報
１１Ｂ，１２Ｂ，１３Ｂ，１４Ｂ    関連情報
１１Ｃ，１１Ｄ，１１Ｅ    制限化画像
１００  画像読取装置
Ｓ      シート
【図１】
2020167458.tif 000003
【図２】
2020167458.tif 000004
【図３】
2020167458.tif 000005
【図４】
2020167458.tif 000006
【図５】
2020167458.tif 000007
【図６】
2020167458.tif 000008